(57)【特許請求の範囲】
【請求項１】
筒状で底を持ち、インナーベースユニットの上下の作動を円滑に保つアウターレール部を内側の両サイドに持つアウターベースユニットの底の左右に、一対のスクリューネジを回転自在に取り付け、駆動モーターをスクリューネジとスクリューネジの間に配置し、この回転をスクリューネジに伝えるプーリーとベルトをアウターベースユニット内に設け、空き缶を受ける部位を、駆動モーターの上側に設定し、筒状でその上側に天井を、外側にアウターレール部に沿うようインナーレール部を持つインナーベースユニットにスクリューネジに勘合させたナットプレートを取り付け、駆動モーターを回転させて、インナーベースユニットを上下作動させて、インナーベースユニットの天上部と、空き缶を受ける部位の間で空き缶を潰す電動の空き缶潰し機において、インナーベースユニットの天井部に水平方向に作動し空き缶の挿入口となるスライドフタを設け、アウターベースユニットの内側で駆動モーターの外側を囲っている、アウターベースインナーの上部の排出穴側に、水平方向に回転可能に取り付けるようにして、インナーベース上昇時に、斜めに傾いて潰した空き缶を外に出すようにした排出プレートと、スライドフタの裏側との間で、空き缶を押しつぶすことを特徴とする電動の空き缶潰し機。        
【請求項２】
インナーベースユニットの後面に、潰した空き缶を排出する排出穴を設け、缶を潰す受けとなる排出プレートを、アウターベースインナーの天井部に水平方向で回転自在になるよう取り付け、インナーベースユニット上昇時に、インナーベース前面の外側に、回転可能に取り付けて、キックスプリングで回転方向にバネ力をもたせて取り付けるようにしたキックプレートで、排出プレートの一端を持ち上げて排出プレートを傾け、潰した空き缶を、排出穴から外に排出するようにしたことを特徴とする、請求項１の電動の空き缶潰し機。
【請求項３】
インナーベース後面の排出穴の内側に、カバーガイドで前後左右を規制し、上下方向に自在に作動するよう保持したカバープレートを、排出穴を閉じる側にカバースプリングで引っ張るように取付け、インナーベースユニットが上昇中で排出のタイミングになった時に、アウターベースインナーの排出穴側の水平方向に回転可能で、スプリングで引張り力を持たせて取り付けたカバーストッパーの先端で、カバープレートをひっかけて、その動きを止めて排出口を開け、潰した空き缶を外に排出できるようにし、排出後インナーベースユニットは更に上昇し、インナーベースユニットの下端に取り付けた、カバーガイドフックで、カバーストッパーのロックを外し、カバープレートをカバースプリングのバネ力で持ち上げて排出穴を閉じ、手が入らぬよう危険防止としたことを特徴とする、請求項２の電動の空き缶潰し機。
【発明の詳細な説明】
【技術分野】
【０００１】
本発明は飲料用の空き缶のスペースを小さくし、リサイクルの効率を高める空き缶潰し機に関する物である。
【背景技術】
【０００２】
従来、飲料用の小型の空き缶潰し機は、リンク、アーム、カムなどの構造で手動もしくは足踏みで作動するものが多く、構造が簡単で安価であるため家庭用としてある程度出回っていた。又電動の空き缶潰し機は大型で大量の空き缶を処理できるため大きな会社やスーパーに置かれて使用されていた。
【０００３】
しかし従来の小型の空き缶潰し機は、手動では力が要るし、足踏みでは缶を取り出すたび腰をかがめていたため面倒であり、操作するスペースも広く取る必要があり広く使用されることはなかった。又電動の大型の空き缶潰し機は操作が楽であるが設置には広い場所がひつようであるため、家庭用としては不向きであった。
【０００４】
この対策として小型モーターで歯車を減速してネジを回してナットを取り付けた中間版を作動させて空き缶をつぶす構造の物もあるが、安全性、操作スペース、大きさ外観の面で、十分とはいえなかった。
又筒状で駆動モーター、ネジ、ナットなどの機構部を内部に組み込んで、上下
に作動させて空き缶を潰すという、安全性、外観、スペースを考慮した物もあるが、安全性、操作性の面で今一歩であった。
【特許文献１】特開2000―34329
【特許文献２】特開平9―29493
【特許文献３】特許3872454
【発明の開示】
【０００５】
簡単なボタン操作だけで空き缶を潰し、潰した空き缶に触れることなく自動排出する、小型で安全性の高い、家庭用で電動の空き缶潰し機を提供する。
【０００６】
本発明は、筒状のアウターベースサイド１ａの内側にインナーベースユニット２の上下作動を円滑に保つアウターベースレール部１ｎを設け、底にはアウターベースボトム１ｃ、内側にはアウターベースストッパー部１ｄを前後左右の上端に持つアウターベースインナー１ｂを取付け、アウターベースインナーの内側の中央には、出力軸に駆動プーリー５を取り付けた駆動モーター３を取り付け、両外側には受動プーリー６を取り付けた１対のスクリューネジ４を、駆動モーターと共に、ベアリング１４、スペーサープレート１５、ベアリングプレート１６、異形穴ワッシャー１７、ナット１８などでアウターベースボトムに回転可能に取り付け、駆動プーリーと受動プーリーをベルト７で連係しており、アウターベースインナー１ｂの後ろ側にカバーストッパー１３を、上側には水平方向に回転軸を持つ排出プレート１１を、排出シャフト１２で回転可能に取り付けている。又アウターベースサイドの内側には、アウターベースレール部に沿ってインナーベースユニット２を上下方向に導く、インナーベースレール部２ｉを外側に持つ、筒状のインナーベースサイド２ｅを設け、その内側にはインナーベースメインシャフト２ｈを取り付けたインナーベースインナー２ｆを、天井にはインナーベースアッパー２ｇを取付け、インナーベースメインシャフトには、リンクブラケット２２、スクリューナットホルダー２３を回転可能に連結したスライドアーム２１、を回転可能に取付けている。又インナーベースインナーの上側には、スライドフタ２０をインナーベースアッパーとの間に、前後方向に自在に作動で来るよう挟み込み、スライドフタの両サイドの長穴に、スライドアームの先端を回転可能に取り付け、スクリューネジには、スクリューナットプレート８をはめ込み、サイレンサー１０、スペーサー９共にスクリューナットホルダー２３に取り付けている。又インナーベースサイドの後ろ側には、排出穴２ｊを設け、カバーフック２８ｐを持つ排出カバープレート２８を上下方向に自在に動くよう、左右のカバーガイドプレート２９ではさみ、カバースプリング３０で排出穴が閉じる方向に引っ張り保持している。インナーベースインナー２ｆの下側には、インナーベースサイド２ｅに取り付けたアシストプレート２ｍをはめ込み、ストッパープレート２ｋを取り付け、スクリューナットホルダー２３に一方を引っ掛けたアームスプリング２４の他方側をこのストッパープレート２ｋに取り付けている。又インナーベースサイドの内側には、キックプレート２５と上リミットスイッチ３１を取り付け、アウターベースインナーの下側には、下リミットスイッチ３２を取り付け、アウターベースボトムには制御ボックス３５を組み込んだアンダーカバーロアー３３、格納スイッチ３６、作動スイッチ３７を組み込んだアンダーカバーアッパー３４を取り付け、インナーベースアッパーにはアッパーカバー２６を、スライドフタにはスライドフタカバー２７を取り付けている。
【０００７】
格納時の状態から作動スイッチ３７を押すと、駆動モーター３が正転し、駆動プーリー５、ベルト７、受動プーリー６、スクリューネジ４に回転が伝えられ、スクリューネジ４に組み込まれたスクリューナットプレート８でインナーベースユニット２は上昇し、上端で、ストッパープレート２ｋがアウターベースストッパー部１ｄに当たってインナーベースユニット２は止まるが、スクリューネジ４にはまだ余裕があるので、スクリューナットホルダー２３に取り付けてあるアームスプリング２４の引っ張り力に反して、スクリューナットホルダー２３、リンクブラケット２２を押し上げスライドアーム２１を後方に回転させ、このスライドアーム２１に取り付けてあるスライドフタ２０を後方に移動させた後、上リミットスイッチ３１を作動させて停止し、空き缶の挿入口が出来る。次に空き缶の挿入口から空き缶を入れ、作動スイッチ３７を押すと、駆動モーター３は逆転し、アームスプリング２４の引っ張り力によってスライドアーム２１が戻され、スライドフタ２０は閉じ、インナーベースユニット２は下降し、スライドフタ２０の裏側と排出プレート１１の間で空き缶を潰し、下端で下リミットスイッチ３２に当たってこれを作動させ、駆動モーター３を正転させ、インナーベースユニット２を上昇させ、潰した空き缶が排出穴２ｊに近づくタイミングで、カバーフック２８ｐがカバーストッパー１３に当たりカバープレート２８の動きのみ止められ、排出穴２ｊは開き、空き缶が排出できるようになる。これと同時に、キックプレート２５が排出プレート１１を跳ね上げて傾け、潰した空き缶を外に排出する。排出後カバーストッパー１３はカバーガイドフック２９ｒによって反転さし、カバープレート２８はカバースプリング３０の引っ張り力で戻され、排出穴は閉じ、インナーベースユニットは上端でスライドフタ２０を開け停止する。ここで格納スイッチ３６を押すと、スライドフタ２０は閉じて最下段で下リミットスイッチ３２に当たって停止する。このように作業者は空き缶を挿入穴に入れて作動スイッチを押すだけで空き缶は潰されて自動的に排出され、又排出口も危険な下降時にはカバーで閉じられているので、操作性、安全性とも申し分ないものとなる。
【発明を実施するための最良の形態】
【０００８】
簡単なボタン操作で空き缶を潰し、潰した空き缶に触れることなく自動排出する小型で安全性の高い家庭用の電動の空き缶潰し機を提供するという目的を、信頼性の高い構造と最小限の部品点数で実現できた。
【実施例１】
【０００９】
本発明は、図７の分解斜視図に示すように、筒状のアウターベースサイド１ａの内側にインナーベースレール部２ｉと共にインナーベースユニット２の上下方向の作動をスムーズに導く、アウターベースレール部１ｎを設け、底にはアウターベースボトム１ｃ、内側にはアウターベースストッパー部１ｄを前後左右の上端に持つアウターベースインナー１ｂを取り付けている。アウターベースインナー１ｂの内側の中央には  出力軸に駆動プーリー５を取り付けた駆動モーター３が取り付けられ、アウターベースインナー１ｂの両外側には、受動プーリー６を取り付けた１対のスクリューネジ４が駆動モーター3と共に、ベアリング１４、スペーサープレート１５、ベアリングプレート１６、異形穴ワッシャー１７、ナット１８、ビス４０などでアウターベースボトム１ｃに回転可能に取り付けられている。駆動プーリー５と受動プーリー６はベルト７で連係されており、アウターベースインナー１ｂの後ろ側にはカバーストッパー１３が、上側には、水平方向に回転軸を持つ排出プレート１１が、排出シャフト１２とリティーニングリング３９で回転可能に取り付けられている。又インナーベースサイド２ｅの外側にインナーベースレール部２ｉを設け、内側にはインナーベースメインシャフト２ｈを取り付けたインナーベースインナー２ｆを、天井にはインナーベースアッパー２ｇを取り付け、インナーベースメインシャフト２ｈには、リンクブラケット２２、スクリューナットホルダー２３、が回転可能に連結されたスライドアーム２１が回転可能に取り付けられている。又インナーベースインナー２ｆの上側にはスライドフタ２０がインナーベースアッパー２ｇとの間に前後方向のみに自在に作動で来るよう挟み込まれ、スライドフタ２０の両サイドの長穴にスライドアーム２１の先端が回転可能に取り付けられており、インナーベースサイド２ｅの後ろ側には排出穴２ｊが設けられ、カバーフック２８ｐを持つカバープレート２８が、カバーガイドフック２９ｒを持つ左右のカバーガイドプレート２９で上下方向に自在に作動するようはさまれ、カバースプリング３０で排出穴を閉じる方向に引っ張られて保持されている。又インナーベースインナー２ｆの下側には、インナーベースサイド２ｅに取り付けられたアシストプレート２ｍが、はめ込まれ、4隅にストッパープレート２ｋが取り付けられ、スクリューナットホルダー２３に一方を引っ掛けたアームスプリング２４の他方側がこのストッパープレート２ｋに取り付けられている。又インナーベースサイド２ｅの内側には図２で示すように、キックスプリング25ｓで右回転の方向に負荷されているキックプレート２５が取り付けられ、上リミットスイッチ３１も取り付けられ、アウターベースインナー２ｆには下リミットスイッチ３２が取り付けられている。又スクリューネジ４には、スクリューナットプレート8がはめ込まれサイレンサー１０、スペーサー９共にナットプレート取付けビス１９でスクリューナットホルダー２３に取り付けられている。アウターベースボトム１ｃには制御ボックス３５を組み込んだアンダーカバーロアー３３、格納スイッチ３６、作動スイッチ３７を組み込んだアンダーカバーアッパー３４が取り付けられ、インナーベースアッパー２��にはアッパーカバー２６が、スライドフタ２０にはスライドフタカバー２７が取り付けられている。
【００１０】
図２、図５に示す格納時の状態から作動スイッチ３７を押すと、駆動モーター３が正転し、駆動プーリー５、ベルト７、受動プーリー６、スクリューネジ４と回転が伝えられ、スクリューナットプレート８でインナーベースユニット２は上昇し、図4、図６のようにストッパープレート２ｋがアウターベースストッパー部１ｄに当たってインナーベースユニット２は止まるが、スクリューネジ４にはまだ余裕があるので、スクリューナットホルダー２３とストッパープレート２ｋに取り付けてあるアームスプリング２４の引っ張り力に反して、スクリューナットホルダー２３とリンクブラケット２２を押し上げ、スライドアーム２１を後方に回転させ、このスライドアーム２１に取り付けてあるスライドフタ２０を後方に移動させた後、上リミットスイッチ３１を作動させて停止し、空き缶の挿入口が出来る。次に、空き缶挿入口から空き缶３８を入れ作動スイッチ３７を押すと、駆動モーター３は逆転し、アームスプリング２４の引っ張り力にそってスライドアーム２１が戻され、スライドフタ２０は閉じ、インナーベースユニット２は下降し、スライドフタ２０の裏側と排出プレート１１の間で空き缶を潰し始める。この時、排出プレート１１の上側にキックプレート２５が当たるが、キックプレート２５の上方向はキックスプリング２５ｓで規制されているだけなので、キックプレート２５は反転して排出プレート１１を乗り越えていく。又カバーフック２８ｐはカバーストッパー13に当たるが、下降時のカバーストッパー１３は斜めの面なので、カバーストッパー１３を反転させ乗り越えていく。次にインナーベースユニット２が下端に来たとき、インナーベースインナー２ｆで下リミットスイッチ３２を作動させて、駆動モーター３を正転させ、インナーベースユニット２は上昇し、図3のように、潰した空き缶が排出穴２ｊに近づくころ、カバープレート２８のカバーフック２８ｐがカバーストッパー１３に当たってカバースプリング３０の引っ張り力に反して止められ、排出穴２ｊは開き、空き缶は外に排出できるようになる。これと同時にキックプレート２５が排出プレート１１を跳ね上げて傾け、潰した空き缶３８を外に排出する。排出後カバーストッパー１３は、カバーガイドフック２９ｒによって反転し、カバープレート２８はカバースプリング３０の引っ張り力で戻され排出穴２ｊは閉じ、インナーベースユニット２は最上段でスライドフタ２０を開け停止する。空き缶潰しの作業が終れば、格納スイッチ３６を押すとスライドフタ２０は閉じてインナーベースユニット２は下端で下リミットスイッチ３２に当たって停止する。このように作業者は、空き缶を挿入穴に入れて作動スイッチを押すだけで、空き缶は潰され自動的に排出されるし、排出口も最も危険な下降時にはカバーで閉じられているので、操作性、安全性とも申し分ないものとなる。
図１は本発明の動作を示す図で、使用していない時は、１の格納時(下端)で最もコンパクトになっている状態、これから作動スイッチを押しインナーベースユニットが上昇すると、２の作動中となり、更に上昇すると、スライドフタが開いて、３の空き缶セット位置(上端)となる。また４の作動時後側は、潰れた空き缶が排出される様子を示している。従って操作準備は、作動スイッチを押して  １→２→３  の工程で、空き缶を潰す工程は  作動スイッチを押して  ３→２→１→２→３の工程で、格納は格納スイッチを押して３→２→１の工程となる。
【産業上の利用可能性】
【００１１】
スイッチを押すだけで簡単に缶がつぶれて自動的に排出するので、操作性が優れ手を挟み込む場所もないので、安全性にも優れ、小型で操作スペースも最小に出来るので、家庭のダイニングルーム、新幹線の車内、飛行機内、事務所などの狭い場所に置け、空き缶のリサイクル効率も上げＣＯ２削減にも寄与するため、広く利用される可能性がある。
【図面の簡単な説明】
【００１２】
【図１】本発明の作動を示した斜視図である。
【図２】本発明の格納時(下端)の中央Ａ―Ａの断面図である。
【図３】本発明の作動中(上昇中)の中央Ｂ―Ｂの断面図である。
【図４】本発明の空き缶セット位置(上端)の中央Ｃ−Ｃの断面図である。
【図５】本発明の格納時(下端)のＤ―Ｄの断面図である。
【図６】本発明の空き缶セット位置(上端)のＥ−Ｅの断面図である。
【図７】本発明の分解斜視図である。
【符号の説明】
【００１３】
１    アウターベースユニット(アウターベースサイド、アウターベースインナー、アウターベースボトム、排出プレートなど固定側の総称)
１ａ  アウターベースサイド
１ｂ  アウターベースインナー
１ｃ  アウターベースボトム
１ｄ  アウターベースストッパー部
１ｎ  アウターベースレール部
２    インナーベースユニット（インナーベースサイド、インナーベースインナー、インナーベースアッパーなど可動側の総称）
２ｅ  インナーベースサイド
２ｆ  インナーベースインナー
２ｇ  インナーベースアッパー
２ｈ  インナーベースメインシャフト
２ｉ  インナーベースレール部
２ｊ  排出穴
２ｋ  ストッパープレート
２ｍ  アシストプレート
３    駆動モーター
４    スクリューネジ
５    駆動プーリー
６    受動プーリー
７    ベルト
８    スクリューナットプレート
９    スペーサー
１０  サイレンサー
１１  排出プレート
１２  排出シャフト
１３  カバーストッパー
１４  ベアリング
１５  スペーサープレート
１６  ベアリングプレート
１７  異形穴ワッシャー
１８  ナット
１９  ナットプレート取付けビス
２０  スライドフタ
２１  スライドアーム
２２  リンクブラケット
２３  スクリューナットホルダー
２４  アームスプリング
２５  キックプレート
２５ｓキックスプリング
２６  アッパーカバー
２７  スライドフタカバー
２８  カバープレート
２８ｐカバーフック
２９  カバーガイドプレート
２９ｒカバーガイドフック
３０  カバースプリング
３１  上リミットスイッチ
３２  下リミットスイッチ
３３  アンダーカバーロアー
３４  アンダーカバーアッパー
３５  制御ボックス
３６  格納スイッチ
３７  作動スイッチ
３８  空き缶
３９  リティーニングリング
４０  ビス
【図１】
0004565400.tif 000002
【図２】
0004565400.tif 000003
【図３】
0004565400.tif 000004
【図４】
0004565400.tif 000005
【図５】
0004565400.tif 000006
【図６】
0004565400.tif 000007
【図７】
0004565400.tif 000008